(57)【要約】【課題】  少なくとも１つの電子装置の操作性を改善することができる装置を提供する。【解決手段】  装置（１）は、少なくとも評価制御ユニット（３，３’）を含み、該評価制御ユニット（３，３’）は、表示要素（２．１〜２．ｎ，２．１’〜２．ｎ’）に接続され、表示要素（２．１〜２．ｎ，２．１’〜２．ｎ’）から発せられた光の強度を、表示要素（２．１〜２．ｎ，２．１’〜２．ｎ’）が、通常稼動中においては、所定の、好ましくは、実質的に同一の強度で、光を放射し、少なくとも１つの電子装置（１０，１０’）の操作動作においては、操作動作に割り当てられている１または複数の表示要素（２．１〜２．ｎ，２．１’〜２．ｎ’）が、それらの表示要素（２．１〜２．ｎ，２．１’〜２．ｎ’）から発せられた光の相対的強度の変化によって、光学的に強調可能であるように制御する。【選択図】      図２
2019169151.tif 000002
【特許請求の範囲】
【請求項１】
少なくとも１つの電子装置（１０，１０’）の、ｋ≧２である複数の光学表示要素（２．１〜２．ｎ，２．１’〜２．ｎ’）を制御するための装置（１，１’）であって、各表示要素（２．１〜２．ｎ，２．１’〜２．ｎ’）は、少なくとも１つの電子装置（１０，１０’）および／または少なくとも１つの電子装置（１０，１０’）の個々の構成要素の稼動状態を光学的に表示するために光を放射するように構成される、装置（１，１’）において、
少なくとも評価制御ユニット（３，３’）を含み、
評価制御ユニット（３，３’）は、表示要素（２．１〜２．ｎ，２．１’〜２．ｎ’）に接続され、
表示要素（２．１〜２．ｎ，２．１’〜２．ｎ’）から発せられた光の強度を、
表示要素（２．１〜２．ｎ，２．１’〜２．ｎ’）が、通常稼動中においては、所定の、好ましくは、実質的に同一の強度で、光を放射し、少なくとも１つの電子装置（１０，１０’）の操作動作においては、操作動作に割り当てられている１または複数の表示要素（２．１〜２．ｎ，２．１’〜２．ｎ’）が、それらの表示要素（２．１〜２．ｎ，２．１’〜２．ｎ’）から発せられた光の相対的強度の変化によって、光学的に強調可能であるように
制御することを特徴とする装置（１，１’）。
【請求項２】
評価制御ユニット（３，３’）は、表示要素（２．１〜２．ｎ，２．１’〜２．ｎ’）の強度を、操作動作に割り当てられている表示要素（２．１〜２．ｎ，２．１’〜２．ｎ’）の強度が、通常稼動と比較して変わりがないように、そして他の表示要素（２．１〜２．ｎ，２．１’〜２．ｎ’）の強度が、通常稼動と比較して低くなるように、制御するように構成されてなることを特徴とする、請求項１に記載の装置（１）。
【請求項３】
評価制御ユニット（３，３’）は、表示要素（２．１〜２．ｎ，２．１’〜２．ｎ’）の強度を、操作動作に割り当てられる表示要素（２．１〜２．ｎ，２．１’〜２．ｎ’）の強度が、通常稼動と比較して高くされ、残りの表示要素（２．１〜２．ｎ，２．１’〜２．ｎ’）の強度が、通常稼動と比較して変わらないように、制御するように構成されてなることを特徴とする、請求項１に記載の装置（１）。
【請求項４】
評価制御ユニット（３，３’）は、表示要素（２．１〜２．ｎ，２．１’〜２．ｎ’）の強度を、操作動作に割り当てられている表示要素（２．１〜２．ｎ，２．１’〜２．ｎ’）の強度が、通常稼動と比較して高くなり、残りの表示要素（２．１〜２．ｎ，２．１’〜２．ｎ’）の強度が、通常稼動と比較して低くなるように制御するように構成されてなることを特徴とする、請求項１に記載の装置（１）。
【請求項５】
少なくとも１つの電子装置（１０，１０’）の、ｋ≧２である複数の光学表示要素（２．１〜２．ｎ，２．１’〜２．ｎ’）を制御するための方法であって、
各表示要素（２．１〜２．ｎ，２．１’〜２．ｎ’）は、少なくとも１つの電子装置（１０，１０’）および／または少なくとも１つの電子装置（１０，１０’）の個々の構成要素の稼動状態を光学的に表示するために光を放射するように構成される、方法において、
表示要素（２．１〜２．ｎ，２．１’〜２．ｎ’）から発せられた光の強度を、
その表示要素（２．１〜２．ｎ，２．１’〜２．ｎ’）が、通常稼動中においては、所定の、好ましくは、実質的に同一の強度で、光を放射し、少なくとも１つの電子装置（１０，１０’）の操作動作においては、操作動作に割り当てられている１または複数の表示要素（２．１〜２．ｎ，２．１’〜２．ｎ’）が、それらの表示要素（２．１〜２．ｎ，２．１’〜２．ｎ’）から発せられた光の相対的強度の変化によって、光学的に強調可能であるように制御することを特徴とする方法。
【請求項６】
表示要素（２．１〜２．ｎ，２．１’〜２．ｎ’）の強度は、操作動作に割り当てられる表示要素（２．１〜２．ｎ，２．１’〜２．ｎ’）の強度が通常稼動と比較して変化せず、残りの表示要素（２．１〜２．ｎ，２．１’〜２．ｎ’）の強度が通常稼動と比較して低くなるように制御されることを特徴とする、請求項５に記載の方法。
【請求項７】
表示要素（２．１〜２．ｎ，２．１’〜２．ｎ’）の強度は、操作動作に割り当てられる表示要素（２．１〜２．ｎ，２．１’〜２．ｎ’）の強度が通常稼動と比較して高くされ、残りの表示要素（２．１〜２．ｎ，２．１’〜２．ｎ’）の強度が通常稼動と比較して変化しないように制御されることを特徴とする、請求項５に記載の方法。
【請求項８】
表示要素（２．１〜２．ｎ，２．１’〜２．ｎ’）の強度は、操作動作に割り当てられる表示要素（２．１〜２．ｎ，２．１’〜２．ｎ’）の強度が通常稼動と比較して高くされ、残りの表示要素（２．１〜２．ｎ，２．１’〜２．ｎ’）の強度が通常稼動と比較して低くなるように制御されることを特徴とする、請求項５に記載の方法。
【請求項９】
ｋ≧２である複数の光学表示要素（２．１〜２．ｎ，２．１’〜２．ｎ’）であって、各光学表示要素（２．１〜２．ｎ，２．１’〜２．ｎ’）は、少なくとも１つの電子装置および／または少なくとも１つの電子装置（１０，１０’）の個々の構成要素の稼動状態を、光学的に表示するために、光を放射するように、構成される複数の光学表示要素（２．１〜２．ｎ，２．１’〜２．ｎ’）と、
光学表示要素（２．１〜２．ｎ，２．１’〜２．ｎ’）を制御するための装置（１，１’）と、
を含む電子装置（１０，１０’）において、
光学表示要素（２．１〜２．ｎ，２．１’〜２．ｎ’）を制御するための装置（１，１’）は、請求項１〜４のいずれかに従った構成とされていることを特徴とする電子装置（１０，１０’）。
【請求項１０】
互いに通信による結合状態にある第１電子装置（１０）と、
少なくとも１つの第２電子装置（１０’）と、
を備える分散システム（１００）において、
各電子装置（１０，１０’）は、請求項９に従った構成とされていることを特徴とする分散システム（１００）。
【発明の詳細な説明】
【技術分野】
【０００１】
本発明は、少なくとも１つの電子装置の、ｋ≧２である複数の光学表示要素を制御するための装置および方法に関し、各表示要素は、少なくとも１つの電子装置および／または少なくとも１つの電子装置の個々の構成要素の稼動状態を光学的に表示するために光を放射するように構成される。
【背景技術】
【０００２】
光学表示要素、特に発光ダイオードは、たとえば少なくとも１つの電子装置、および／または少なくとも１つの電子装置の個々の構成要素の、異なる稼動状態を、簡単かつ迅速に検出可能な方法でユーザに光学的に表示するという目的を果たす。そのような電子装置は、たとえば、自動化技術の分野で使用することができる制御装置、特に安全制御装置とすることができる。操作者入力などの操作動作が、操作者によって行われるとき、ほとんどの場合、現在の操作者入力にそれぞれ割り当てられている少なくとも１つの電子装置の個々の表示要素に注意を払うことが必要なだけである。たとえば、表示要素は、操作動作への応答として、その照明状態を変更することが可能であり、たとえば、異なる色で光を放射すること、および／または点滅状態を変更することができる。電子装置が複数の表示要素を有する場合、操作者にとって、現在の操作動作に割り当てられており、よって、特に注意を払うべき表示要素を素早く把握することは困難であることが多い。なぜなら、操作者の操作時に、操作者の操作により実際に注意が払われるべき表示要素と、この時点では直接関係のない表示装置との間の区別をすることができないからである。
【発明の概要】
【０００３】
本発明の課題は、少なくとも１つの電子装置の、ｋ≧２である複数の光学表示要素を制御するための装置および方法であって、それによって少なくとも１つの電子装置の操作性を改善することができる装置および方法を提供することである。
【０００４】
この課題に対する解決策は、請求項１の特徴部分の特徴を有する、冒頭で述べたタイプの、少なくとも１つの電子装置の、ｋ≧２である複数の光学表示要素を制御するための装置を提供する。方法に関して、この課題は、請求項５の特徴部分の特徴を有する方法によって達成される。従属請求項は、本発明のさらなる、有利な実施形態に関する。
【０００５】
少なくとも１つの電子装置の、ｋ≧２である複数の光学表示要素を制御するための、発明に従った装置は、少なくとも評価制御ユニットを含み、該評価制御ユニットは、表示要素に接続され、表示要素から発せられた光の強度を、表示要素が、通常稼動中においては、所定の、好ましくは、実質的に同一の強度で、光を放射し、少なくとも１つの電子装置の操作動作においては、操作動作に割り当てられている１または複数の表示要素が、それらの表示要素から発せられた光の相対的強度の変化によって、光学的に強調可能であるように制御する。用語「通常稼動」とは、この文脈では、少なくとも１つの電子装置の運転であって、操作者による操作動作は何も行われない稼動と理解されるべきである。本発明は、操作動作において、操作者によって特に注意が払われるべきであって、それゆえに操作動作に割り当てられている各表示要素を、その操作者の操作動作も評価することが可能である、評価制御ユニットによって、その光学的表示要素の相対的強度の変化によって、光学的に適切に強調表示するという考えに由来している。したがって、操作者は、操作動作の後速やかに、操作動作に割り当てられている強調表示された表示要素がどの状態にあるのかを認識することができる。好ましくは、表示要素は発光ダイオードとして構成することができる。発光ダイオードは、特に、その長い寿命、および比較的少ないエネルギ消費を特徴とする。さらに、発光ダイオードの輝度は非常に簡単な方法で、特にパルス幅変調方法によって変えることができる。
【０００６】
有利な実施形態においては、評価制御ユニットは、表示要素の強度を、操作動作に割り当てられている表示要素の強度が、通常稼動と比較して変わりがないように、そして他の表示要素の強度が、通常稼動と比較して低くなるように、制御するように構成されてなることが提案される。したがって、この実施形態において、残りの表示要素は故意に減光されているが、それに対して、操作動作を通して、操作者によって注意が払われるべき表示要素は、その電子装置の通常稼動中の強度に対応する強度の光を発光する。従って、操作者の操作動作によって必ずしも注意が払われるべきではない表示要素の強度は、減光されていない表示要素を光学的に強調するために適切に低くされる。この場合、操作者の操作動作によって必ずしも観察される必要はない表示要素が、評価制御ユニットによって完全に無効にされる可能性もある。ただし、これらの表示要素のステータスは把握できなくなる。
【０００７】
代替の実施形態において、評価制御ユニットは、表示要素の強度を、操作動作に割り当てられる表示要素の強度が、通常稼動と比較して高くされ、残りの表示要素の強度が、通常稼動と比較して変わらないように、制御するように構成することが可能である。したがって、この実施形態において、現在の操作動作に関係しており、したがって、操作者の注意を必要とする表示要素は、適切に減光され、それに対して、残りの表示要素の強度は、変更されない。
【０００８】
さらに別の実施形態において、評価制御ユニットは、表示要素の強度を、操作動作に割り当てられている表示要素の強度が、通常稼動と比較して高くなり、残りの表示要素の強度が、通常稼動と比較して低くなるように制御するように構成されてもよい。したがって、この実施形態においては、電子装置のすべての表示要素の強度が変更される。
【０００９】
発明に従った方法は、表示要素から発せられた光の強度を、その表示要素が、通常稼動中においては、所定の、好ましくは、実質的に同一の強度で、光を放射し、少なくとも１つの電子装置の操作動作においては、操作動作に割り当てられている１または複数の表示要素が、それらの表示要素から発せられた光の相対的強度の変化によって、光学的に強調可能であるように制御する、ことを特徴とする。発明に従った方法において、操作者によって特に注意が払われるべきであって、操作動作に割り当てられている個々の表示要素は、光学的表示要素の相対強度の変化によって、適切に光学的に強調され、したがって、操作者は、操作動作を行うと、電子装置の注意が払われるべき表示要素であって、よって光学的に強調される表示要素がどの状態であるかを速やかに認識することができる。したがって、電子装置の操作をより容易なものに、かつより直観的なものにすることが可能である。
【００１０】
好ましい実施形態において、表示要素の強度が、操作動作に割り当てられる表示要素の強度が通常稼動と比較して変化せず、残りの表示要素の強度が通常稼動と比較して低くなるように制御される。したがって、残りの、現在の操作動作に関連性の低い表示要素は、適切に減光され、したがって、通常稼動と比較して強度が変化しない、操作入力後に操作者によって注意が払われるべき表示要素は、光学的に強調表示されて、操作者によって速やかに認識されることが可能である。操作者の操作動作によって必ずしも注意が払われるべきとしなくてもよい表示要素は、完全に無効化することも可能である。それによって、操作動作を行った後に注意が払われるべき表示要素について特に強い光学的強調がなされる。
【００１１】
代替の実施形態においては、表示要素の強度が、操作動作に割り当てられる表示要素の強度が通常稼動と比較して高くされ、残りの表示要素の強度が通常稼動と比較して変化しないように制御される構成とすることができる。したがって、この実施形態において、操作動作後に操作者によって観察されるべき表示要素は、適切に減光される。
【００１２】
さらなる代替実施形態においては、表示要素の強度が、操作動作に割り当てられる表示要素の強度が通常稼動と比較して高くされ、残りの表示要素の強度が通常稼動と比較して低くなるように制御される構成とすることができる。したがって、すべての表示要素の相対強度は、操作動作後に変化する。
【００１３】
さらなる態様によれば、本発明は、ｋ≧２である複数の光学表示要素であって、個々の光学表示要素は、少なくとも１つの電子装置および／または少なくとも１つの電子装置の各構成要素の稼動状態を、光学的に表示するために、光を放射するように、構成される複数の光学表示要素と、光学表示要素を制御するための装置とを含む電子装置、好ましくは制御装置、特に安全制御装置に関する。この電子装置は、発明に従えば、光学表示要素を制御するための装置が、請求項１〜４のいずれかに従って構成されることを特徴とする。したがって、操作動作において、電子装置の個々の表示要素の適切な光学的強調表示が可能になる。
【００１４】
さらに別の態様に従えば、本発明は、互いに通信による結合状態にある第１電子装置と、少なくとも１つの第２電子装置とを備える分散システムに関する。発明に従えば、分散システムは、各電子装置が請求項９に従った構成とされていることを特徴とする。少なくとも２つの電子装置を含む分散システムへの上述の概念の転用は、少なくとも２つの電子装置のうちの１つに、操作動作が行われると、その操作動作に割り当てられている、該当する電子装置の表示要素を、上述のように光学的に強調させることが可能であるという利点を有する。さらに有利には、たとえば、他の電子装置の表示要素、または他の各電子装置（ｋ≧３の電子装置の場合）の表示要素の明るさを、適切に低くすることができ、その結果、操作者は、分散システムのどの電子装置に操作入力が効果をもたらしているのかを、簡単に認識することが可能である。
【００１５】
ここで、表示要素の基本状態は、表示要素の相対強度の適切な変化によって、発光色および／または明滅状態の意味に関して、変化しないことを強調しておくべきである。したがって、相対強度の変化が、表示要素によって視覚化された、電子装置の状態情報を変えることはない。個々の表示要素が、単に光学的に強調表示されるため、それらをより簡単に検出可能である。
【００１６】
さらに詳しくは、本発明は、少なくとも１つの電子装置（１０，１０’）の、ｋ≧２である複数の光学表示要素（２．１〜２．ｎ，２．１’〜２．ｎ’）を制御するための装置（１，１’）であって、各表示要素（２．１〜２．ｎ，２．１’〜２．ｎ’）は、少なくとも１つの電子装置（１０，１０’）および／または少なくとも１つの電子装置（１０，１０’）の個々の構成要素の稼動状態を光学的に表示するために光を放射するように構成される、装置（１，１’）において、
少なくとも評価制御ユニット（３，３’）を含み、
評価制御ユニット（３，３’）は、表示要素（２．１〜２．ｎ，２．１’〜２．ｎ’）に接続され、
表示要素（２．１〜２．ｎ，２．１’〜２．ｎ’）から発せられた光の強度を、
表示要素（２．１〜２．ｎ，２．１’〜２．ｎ’）が、通常稼動中においては、所定の、好ましくは、実質的に同一の強度で、光を放射し、少なくとも１つの電子装置（１０，１０’）の操作動作においては、操作動作に割り当てられている１または複数の表示要素（２．１〜２．ｎ，２．１’〜２．ｎ’）が、それらの表示要素（２．１〜２．ｎ，２．１’〜２．ｎ’）から発せられた光の相対的強度の変化によって、光学的に強調可能であるように
制御することを特徴とする装置（１，１’）である。
【００１７】
本発明は、評価制御ユニット（３，３’）は、表示要素（２．１〜２．ｎ，２．１’〜２．ｎ’）の強度を、操作動作に割り当てられている表示要素（２．１〜２．ｎ，２．１’〜２．ｎ’）の強度が、通常稼動と比較して変わりがないように、そして他の表示要素（２．１〜２．ｎ，２．１’〜２．ｎ’）の強度が、通常稼動と比較して低くなるように、制御するように構成されてなることを特徴とする。
【００１８】
本発明は、評価制御ユニット（３，３’）は、表示要素（２．１〜２．ｎ，２．１’〜２．ｎ’）の強度を、操作動作に割り当てられる表示要素（２．１〜２．ｎ，２．１’〜２．ｎ’）の強度が、通常稼動と比較して高くされ、残りの表示要素（２．１〜２．ｎ，２．１’〜２．ｎ’）の強度が、通常稼動と比較して変わらないように、制御するように構成されてなることを特徴とする。
【００１９】
本発明は、評価制御ユニット（３，３’）は、表示要素（２．１〜２．ｎ，２．１’〜２．ｎ’）の強度を、操作動作に割り当てられている表示要素（２．１〜２．ｎ，２．１’〜２．ｎ’）の強度が、通常稼動と比較して高くなり、残りの表示要素（２．１〜２．ｎ，２．１’〜２．ｎ’）の強度が、通常稼動と比較して低くなるように制御するように構成されてなることを特徴とする。
【００２０】
本発明は、少なくとも１つの電子装置（１０，１０’）の、ｋ≧２である複数の光学表示要素（２．１〜２．ｎ，２．１’〜２．ｎ’）を制御するための方法であって、
各表示要素（２．１〜２．ｎ，２．１’〜２．ｎ’）は、少なくとも１つの電子装置（１０，１０’）および／または少なくとも１つの電子装置（１０，１０’）の個々の構成要素の稼動状態を光学的に表示するために光を放射するように構成される、方法において、
表示要素（２．１〜２．ｎ，２．１’〜２．ｎ’）から発せられた光の強度を、
その表示要素（２．１〜２．ｎ，２．１’〜２．ｎ’）が、通常稼動中においては、所定の、好ましくは、実質的に同一の強度で、光を放射し、少なくとも１つの電子装置（１０，１０’）の操作動作においては、操作動作に割り当てられている１または複数の表示要素（２．１〜２．ｎ，２．１’〜２．ｎ’）が、それらの表示要素（２．１〜２．ｎ，２．１’〜２．ｎ’）から発せられた光の相対的強度の変化によって、光学的に強調可能であるように制御することを特徴とする方法である。
【００２１】
本発明は、表示要素（２．１〜２．ｎ，２．１’〜２．ｎ’）の強度は、操作動作に割り当てられる表示要素（２．１〜２．ｎ，２．１’〜２．ｎ’）の強度が通常稼動と比較して変化せず、残りの表示要素（２．１〜２．ｎ，２．１’〜２．ｎ’）の強度が通常稼動と比較して低くなるように制御されることを特徴とする。
【００２２】
本発明は、表示要素（２．１〜２．ｎ，２．１’〜２．ｎ’）の強度は、操作動作に割り当てられる表示要素（２．１〜２．ｎ，２．１’〜２．ｎ’）の強度が通常稼動と比較して高くされ、残りの表示要素（２．１〜２．ｎ，２．１’〜２．ｎ’）の強度が通常稼動と比較して変化しないように制御されることを特徴とする。
【００２３】
本発明は、表示要素（２．１〜２．ｎ，２．１’〜２．ｎ’）の強度は、操作動作に割り当てられる表示要素（２．１〜２．ｎ，２．１’〜２．ｎ’）の強度が通常稼動と比較して高くされ、残りの表示要素（２．１〜２．ｎ，２．１’〜２．ｎ’）の強度が通常稼動と比較して低くなるように制御されることを特徴とする。
【００２４】
本発明は、ｋ≧２である複数の光学表示要素（２．１〜２．ｎ，２．１’〜２．ｎ’）であって、各光学表示要素（２．１〜２．ｎ，２．１’〜２．ｎ’）は、少なくとも１つの電子装置および／または少なくとも１つの電子装置（１０，１０’）の個々の構成要素の稼動状態を、光学的に表示するために、光を放射するように、構成される複数の光学表示要素（２．１〜２．ｎ，２．１’〜２．ｎ’）と、
光学表示要素（２．１〜２．ｎ，２．１’〜２．ｎ’）を制御するための装置（１，１’）と、
を含む電子装置（１０，１０’）において、
光学表示要素（２．１〜２．ｎ，２．１’〜２．ｎ’）を制御するための装置（１，１’）は、請求項１〜４のいずれかに従った構成とされていることを特徴とする電子装置（１０，１０’）である。
【００２５】
本発明は、互いに通信による結合状態にある第１電子装置（１０）と、
少なくとも１つの第２電子装置（１０’）と、
を備える分散システム（１００）において、
各電子装置（１０，１０’）は、請求項９に従った構成とされていることを特徴とする分散システム（１００）である。
【００２６】
本発明のさらなる特徴および利点は、添付の図面を参照した以下の好ましい実施形態の説明から明らかになるであろう。
【図面の簡単な説明】
【００２７】
【図１】光学表示要素が第１照明状態にある、電子装置の複数の光学表示要素を制御するための装置を備えた電子装置の非常に簡略化された概略図を示す。
【図２】光学表示要素が第２発光状態にある、図１に従った電子装置の非常に簡略化された概略図を示す。
【図３】光学表示要素が第３発光状態にある、図１に従った電子装置の非常に簡略化された概略図を示す。
【図４】光学表示要素が第４の発光状態にある、図１に従った電子装置の非常に簡略化された概略図を示す。
【図５】互いに通信により結合されている、図１の２つの電子装置を有する分散型システムの非常に簡略化された概略図である。
【発明を実施するための形態】
【００２８】
図１を参照すると、たとえば制御装置、特に自動化技術の分野で使用することができる安全制御装置であることが可能である電子装置１０は、複数の光学表示要素２．１〜２．ｎを有する。これら光学表示要素２．１〜２．ｎのそれぞれは、たとえば、少なくとも１つの単色の、または少なくとも１つの多色発光ダイオードを含むことが可能である。
【００２９】
光学表示要素２．１〜２．ｎを用いて、ユーザに、電子装置１０の、および／またはモジュールで構成されてもよい電子装置１０の個々の構成要素の現在の状態についての情報を、光学的に知らせることが可能である。たとえば、電子装置１０の稼動中に、表示要素２．１〜２．ｎは、電子装置１０またはその構成要素の異なる稼動状態に割り当てられる異なる信号色の光を放射することができる。このようにして、操作者に、電子装置１０、またはその構成要素の異なる稼動状態を知らせることができる。これにより、たとえば、電子装置１０または電子装置１０の個々の構成要素の何らかの誤動作を表示することが可能になる。たとえば、表示要素２．１〜２．ｎのうちの１つまたは複数を、それらが、周期的に、オンまたはオフになるように制御することができ、それによって点滅機能を実施することができる。
【００３０】
ここに提示された電子装置１０はさらに、光学表示要素２．１〜２．ｎを制御するための装置１であって、表示要素２．１〜２．ｎに接続され、光学表示要素２．１〜２．ｎの点灯動作を制御するように構成された評価制御ユニット３を備えた装置１を有している。評価制御ユニット３は、ユーザの操作動作を検出および評価し、それに応じて光学表示要素２．１〜２．ｎを制御することができるように構成されている。
【００３１】
操作者による操作動作が行われない電子装置１０の通常の稼動中、表示要素２．１〜２．ｎは、評価制御ユニット３によって、好ましくは、所定の、特に、実質的に同一の強度で、光を放射するように制御される。それによって、表示要素２．１〜２．ｎは、任意選択で異なる信号色で点灯することができるが、放射された光の強度に関しては、均一な視覚的外観を保つことになる。通常稼動では、表示要素２．１〜２．ｎのいずれも強調表示されない。
【００３２】
ユーザが、電子装置１０に対して、たとえば操作入力などの操作動作を行うとき、多くの場合、ユーザは、個々の表示要素２．１〜２．ｎの発光状態または発光状態の変化に注意を払うだけでよい。したがって、表示要素２．１〜２．ｎのすべてが稼動中であり、実質的に同一の強度（輝度）の光を放射するときには、ユーザは、一見しただけでは、残りの、現在の操作動作に関係しない表示要素２．１〜２．ｎと区別することができないので、ユーザにとっては、現在の操作動作中に実際に割り当てられている関係する表示要素２．１〜２．ｎを速やかに認識することは、場合によっては、困難であり得る。
【００３３】
したがって、評価制御ユニット３は、現在の操作動作に応じて、この操作動作と関連しており、この操作動作に割り当てられている表示要素２．１〜２．ｎが強調表示されるように、表示要素２．１〜２．ｎの明るさを制御するように構成される。評価制御ユニット３は、電子装置１０の表示要素２．１〜２．ｎの相対的な光強度を変えることができるように構成されている。それによって、電子装置１０の、操作動作中に関連する表示要素２．１〜２．ｎを、残りの表示要素２．１〜２．ｎと比べて、対応する光学的ハイライトにすることが達成される。これについては、後で詳しく説明する。
【００３４】
図１においては、まず、電子装置１０の通常稼動中、全ての表示要素２．１〜２．ｎが、それらが同じ強度（または少なくともほぼ同じ強度）を有するように評価制御ユニット３によって制御される初期状態が示される。これは、図１において、各表示要素２．１〜２．ｎの同じハッチングによって示されている。
【００３５】
図２を参照して、操作動作の場合の、評価制御ユニット３による表示要素２．１〜２．ｎの強度の制御についてより詳細に説明する。この場合、現在の操作動作にとっては、２つの表示要素２．２および２．ｎ２によって表される電子装置１０の特定の状態が特に重要であり、したがって、操作者の注意を必要としているということを想定している。こと。
【００３６】
評価制御ユニット３による表示要素２．１〜２．ｎの光強度の制御は、現在の操作動作に特に関係があり、そのためにそれに割り当てられている表示要素２．２および２．ｎ２の強度が、図１に示した状態と比べて変化がなく、それに対して、残りの、関連性の低い表示要素２．１，２．３〜２．ｎ−３，２．ｎ−１，２．ｎの強度は、それに対応して低くされるように行うことが可能である。強度のこの低下は、表示要素２．１，２．３〜２．ｎ３，２．ｎ１，２．ｎのより強いハッチングによって図２に示されているのに対して、強度が変化していない２つの表示要素２．２および２．ｎ２のハッチングは、図１のものに対応している。したがって、この実施形態において、現在の操作動作に対してそれほど注意を払う必要のない表示要素２．１，２．３〜２．ｎ−３，２．ｎ−１，２．ｎは、光強度の低下によって暗くされており、したがって、図１と比較して変化がない光強度の２つの表示要素２．２および２．ｎ−２は、光学的に強調されている。したがって、操作者は、操作動作の実施後に速やかに、それぞれの光学的に強調表示された表示要素２．２および２．ｎ２が、どの状態にあるのかを認識することができる。
好ましくは、操作動作の場合に強調されるべきではない表示要素２．１，２．３〜２．ｎ３，２．ｎ１，２．ｎは、完全に暗くされるのではなく、単に暗目にされるだけなので、それらの状態は、より低い光強度ではあるが、まだ操作者によって認識されることができる。したがって、表示要素２．１〜２．ｎの相対強度は、操作者の注意を必要とする表示要素２．２および２．ｎ２が光学的に強調表示されることによって変更されることになる。
【００３７】
基本的に、この実施形態においては、強調表示されない表示要素２．１，２．３〜２．ｎ３，２．ｎ１，２．ｎは、評価制御ユニット３によって完全に無効化（スイッチオフ）されることが可能であり、したがって、光学的に強調表示された表示要素２．２および２．ｎ２しか点灯しない。残りの、もはや発光していない表示要素２．１，２．３〜２．ｎ３，２．ｎ１，２．ｎの状態の読み取りは、もはや不可能である。
【００３８】
図３を参照すると、別の実施形態において、評価制御ユニット３による表示要素２．１〜２．ｎの光強度は、操作動作中に特に注意が払われるべき表示要素２．２および２ｎ−２の強度が、図１に示された状態に比べて適切に高くされ、それに対して、残りの表示要素２．１，２．３〜２．ｎ３，２．ｎ１，２．ｎの強度は変化しないように制御される。操作動作の場合に注意が払われるべき表示要素２．２および２．ｎ２の図１と比べてより高くされた強度は、図３においては、ハッチングなしで説明した。輝度が変化していない表示要素２．１，２．３〜２．ｎ３，２．ｎ１，２．ｎのハッチングは、図１のハッチングに一致して対応している。
【００３９】
図４に示されている他の変形例においては、操作動作中に特に注意が払われるべき表示要素２．２および２．ｎ２の強度が、評価制御ユニット３によって高くされ、残りの表示要素２．１，２．３〜２．ｎ３，２．ｎ１，２ｎの強度は低くされることも可能である。これは、対応するハッチングでも示されている。任意選択的に、操作動作の場合にそれほど注意を払わなくてもよい残りの表示要素２．１，２．３〜２．ｎ３，２．ｎ１，２．ｎは、この場合、無効にすることもできる。
【００４０】
操作動作の後、その操作動作に割り当てられている表示要素２．２および２．ｎ２の発光色および／または点滅状態を変えることができる。これについては、全ての実施形態において、発光色および点滅状態の意味に関する表示要素２．１〜２．ｎの基本的な状態は、特定の表示要素２．２および２．ｎ−２を光学的に強調表示するための表示要素２．１〜２．ｎの相対強度の変化によって変わることはないことに注目すべきである。したがって、言い換えれば、特定の表示要素２．２および２．ｎ２の光学的強調表示は、発光色および点滅状態の意味に影響を及ぼさない。
【００４１】
表示要素２．１〜２．ｎの相対強度を変化させることによる、個々の表示要素２．１〜２．ｎの光学強調表示の上記の原理は、分散システム１００、特に、互いに通信によって結合された、上で述べたタイプの少なくとも２つの電子装置１０，１０’を有する自動化システムにも適しており、したがって、電子装置１０，１０’の光学的表示要素２．１〜２．ｎ，２．１’〜２ｎ’を制御するための、装置１，１’の評価制御ユニット３、３’は、双方向で情報を互いに交換することが可能である。この状況は、互いにネットワーク接続されている２つの電子装置１０，１０’を参照して図５に例示されている。
【００４２】
分散システム１００の電子装置１０，１０’のうちの１つのみに関係する操作動作が操作者によって行われる場合、電子装置１０，１０’の表示要素２．１〜２．ｎ，２．１’〜２ｎ’の強度は、評価制御ユニット３，３’を用いて、電子装置１０，１０’の特定の表示要素２．１〜２．ｎ，２．１’〜２ｎ’が適切に強調表示されるように構成することが可能である。
【００４３】
ここで、現在の操作動作は、分散型システム１００の第１電子装置１０に関係しており、この操作動作のために、第１電子装置１０の光学表示要素２．２および２．ｎ−２は特に注意を払うべきであると想定されている。この実施形態において、図２に従った実施形態と同様に、第１電子装置１０の残りの表示要素２．１，２．３〜２．ｎ−３，２．ｎ−１，２．ｎは、その評価制御ユニット３によって、それらの強度が、まったく操作動作が行われていない通常稼動と比べて、低くなるように制御される。他方、操作動作中に操作者によって注意が払われるべき、第１電子装置１０の表示要素２．２および２．ｎ−２は、それらの強度が通常稼動と比較して変化しないように制御される。任意選択で、第１電子装置１０の残りの表示要素２．１，２．３〜２．ｎ−３，２．ｎ１，２．ｎも、評価制御ユニット３によって完全に無効にすることも可能である。
【００４４】
さらに、第２電子装置１０’の評価制御部３’の第１電子装置１０の評価制御部３は、第１電子装置１０で操作動作が行われたことを知らせる。第２電子装置１０’の評価制御ユニット３’は、それに応答して、その評価制御ユニット３’が、第２電子装置１０’のすべての表示要素２．１’〜２ｎ’の強度を、通常稼動と比べて低くすることができるように構成される。任意選択で、第２電子装置１０’の表示要素２．１’〜２ｎ’を完全に無効にすることもできる。
【００４５】
上述の手段によって、操作者が注意を払うべき、第１電子装置１０の表示要素２．２および２．ｎ−２は、第１電子装置１０の残りの光学的表示要素２．１，２．３〜２．ｎ−３，２．ｎ−１，２．ｎと比べて、また、第２電子装置１０’のすべての表示要素２．１’〜２ｎ’と比べて、光学的に強調表示されることが可能である。したがって、操作者は、分散システム１００の電子装置１０，１０’のどれに対して操作動作が行われたかを速やかに認識することができる。注意が払われるべき、第１電子装置１０の表示要素２．２および２．ｎ−２の対応する状態を、非常に容易に読み取ることができる。
【００４６】
最後に、さらに図３および図４に示された、個々の表示要素２．１〜２．ｎ，２．１’〜２ｎ’の光学的強調表示のための概念は、図５に示す分散システム１００にも適用できる。
【符号の説明】
【００４７】
１，１’  装置
２．１〜２．ｎ，２．１’〜２ｎ’  表示要素
３，３’  評価制御ユニット
１０，１０’  電子装置
【図１】
2019169151.tif 000003
【図２】
2019169151.tif 000004
【図３】
2019169151.tif 000005
【図４】
2019169151.tif 000006
【図５】
2019169151.tif 000007